(57)【特許請求の範囲】
【請求項１】
カメラを覆って保護するプロテクタに設けたプロテクタ側通信部と通信する、カメラ側通信部と、
上記カメラで撮像した撮像画像を表示するカメラ側表示部と、
上記カメラ側表示部に上記撮像画像を表示する制御を行うと共に、上記カメラ側通信部と上記プロテクタ側通信部との通信を介して上記プロテクタに設けたタッチパネルを有するプロテクタ側表示部に、プロテクタ側から当該カメラを操作するための操作用画像を表示させる表示信号を送信する制御を行う表示制御部と、
上記表示信号による上記プロテクタ側表示部での表示に対応した上記プロテクタ側の上記タッチパネルからの操作によって発生する操作信号により、上記カメラを制御するカメラ制御部と、
を備え、
上記表示制御部は、上記カメラ側通信部と上記プロテクタ側通信部とが通信可能な接続状態になった際には、上記カメラ側表示部に上記撮像画像の表示を行わないように制御する
ことを特徴とするカメラ。
【請求項２】
上記カメラ制御部は、上記カメラ側通信部における上記プロテクタ側通信部との通信に使用される通信ラインから上記操作信号を取得することを特徴とする請求項１に記載のカメラ。
【請求項３】
上記表示制御部は、上記カメラに設けられた手動による可動の操作部に対応した上記操作用画像の表示を行う表示信号を送信することを特徴とする請求項１に記載のカメラ。
【請求項４】
上記表示制御部は、上記カメラで撮像した撮像画像の映像信号を上記プロテクタに送信して上記プロテクタ側表示部に撮像画像を表示させる制御と、上記プロテクタ側表示部での表示により撮影者が操作するための上記操作用画像の表示を行う表示信号を送信する制御とを行うことを特徴とする請求項１に記載のカメラ。
【請求項５】
上記可動の操作部に対応した上記操作用画像は、上記カメラに搭載される撮影レンズのズーム操作、ピント調整操作、絞り調整操作、シャッタスピード変更操作の少なくとも１つの操作を行うものに対応することを特徴とする請求項３に記載のカメラ。
【請求項６】
上記表示制御部は、上記カメラに交換可能に装着される撮像レンズが持つ機能に応じて、上記プロテクタに送信する上記表示信号を変更することを特徴とする請求項３に記載のカメラ。
【請求項７】
上記表示制御部は、撮影者により上記プロテクタの上記タッチパネルを操作した操作位置に対応した上記操作信号の場合には、該操作位置の情報に応じて複数の操作用画像から対応する操作用画像を選択的に表示する表示信号を送信することを特徴とする請求項３に記載のカメラ。
【請求項８】
上記カメラ制御部は、上記通信ラインにおける上記プロテクタの動作を制御する制御ラインを、上記操作信号を取得する操作ラインとして使用するように制御することを特徴とする請求項２に記載のカメラ。
【請求項９】
上記表示制御部は、上記操作用画像としてピント調整操作のための回転表示が可能なピント操作用リングを表示させる表示信号を送信することを特徴とする請求項５に記載のカメラ。
【請求項１０】
上記カメラ制御部は、上記ピント操作用リングを回転させる操作に対応した上記操作信号に対して、上記撮影レンズのレンズ位置が望遠側の場合には、広角側の場合に比較して上記撮影レンズを移動する移動量を抑制するように制御することを特徴とする請求項９に記載のカメラ。
【発明の詳細な説明】
【技術分野】
【０００１】
本発明は、水中の環境下等で使用できるように保護するプロテクタを装着して撮影を行うカメラに関する。
【背景技術】
【０００２】
近年、デジタルカメラなどの撮影機能付き携帯機器は、画像処理を駆使して、様々な撮影シーンに対応可能になっている。
【０００３】
また、水中など過酷な環境下で撮影するニーズに応え、カメラを収納して保護する防水プロテクタや、カメラ自体を防水構造にする防水カメラの研究が盛んに行われている。
【０００４】
例えば、特開２００６−１６２７８９号公報には、カメラと防水プロテクタ（防水ハウジング）間とで通信を行うことができるようにしている。そして、防水プロテクタ側に設けた複数のスイッチにおける個々の操作をスイッチ検知部により検知し、検知した信号をカメラ側に送信することによって、防水プロテクタ側からレリーズ操作、選択操作等を行えるようにしている。
【先行技術文献】
【特許文献】
【０００５】
【特許文献１】特開２００６−１６２７８９号公報
【発明の概要】
【発明が解決しようとする課題】
【０００６】
しかし、上記特開２００６−１６２７８９号公報では、防水プロテクタを使用した状態では、カメラに対する操作が防水プロテクタ側に設けた複数のスイッチによる個々の指示操作に限定されてしまう欠点がある。
【０００７】
このため、防水プロテクタ等、カメラを保護するプロテクタを使用した場合にも、カメラ側が有する操作機能をより有効に反映して、操作性をより向上できるように改善することが望まれる。
【０００８】
本発明は上述した点に鑑みてなされたもので、プロテクタを使用した場合にも、良好な操作性を実現できるカメラを提供することを目的とする。
【課題を解決するための手段】
【０００９】
本発明による一態様のカメラは、カメラを覆って保護するプロテクタに設けたプロテクタ側通信部と通信する、カメラ側通信部と、上記カメラで撮像した撮像画像を表示するカメラ側表示部と、上記カメラ側表示部に上記撮像画像を表示する制御を行うと共に、上記カメラ側通信部と上記プロテクタ側通信部との通信を介して上記プロテクタに設けたタッチパネルを有するプロテクタ側表示部に、プロテクタ側から当該カメラを操作するための操作用画像を表示させる表示信号を送信する制御を行う表示制御部と、上記表示信号による上記プロテクタ側表示部での表示に対応した上記プロテクタ側の上記タッチパネルからの操作によって発生する操作信号により、上記カメラを制御するカメラ制御部と、を備え、上記表示制御部は、上記カメラ側通信部と上記プロテクタ側通信部とが通信可能な接続状態になった際には、上記カメラ側表示部に上記撮像画像の表示を行わないように制御する。
【発明の効果】
【００１０】
本発明によれば、カメラを保護するプロテクタを使用した場合にも、良好な操作性を実現できる。
【図面の簡単な説明】
【００１１】
【図１】図１は本発明の第１の実施形態のカメラを防水プロテクタと共に示す斜視図。
【図２】図２は第１の実施形態のカメラ及び防水プロテクタの構成を示すブロック図。
【図３】図３はカメラに防水プロテクタを装着して、防水プロテクタに設けたタッチパネルを操作する様子を示す図。
【図４】図４はカメラから通信ラインを介して防水プロテクタの表示部及びタッチパネル駆動すると共に、タッチパネルからの操作信号を取得可能にする制御を行う部分の構成例を示す回路図。
【図５】図５は第１の実施形態における通信制御の処理手順を示すフローチャート。
【図６】図６は撮影者がカメラに装着した防水プロテクタを把持して、防水プロテクタのタッチパネルを操作する様子を示す図。
【図７Ａ】図７Ａは光電センサを用いたタッチパネルの構成例を示す図。
【図７Ｂ】図７Ｂは図７Ａの状態で指をタッチした場合における反射した光が光センサに入射される様子の説明図。
【図８】図８は第１の実施形態におけるカメラ制御の代表的な制御内容を示すフローチャート。
【図９】図９は図８におけるタッチパネル操作判定・パラメータ変更の処理内容の１例を示すフローチャート。
【図１０Ａ】図１０Ａは防水プロテクタの表示部に操作用リングを表示し、撮影者が外側のズームリングを操作している様子の説明図。
【図１０Ｂ】図１０Ｂは防水プロテクタの表示部に操作用リングを表示し、撮影者が内側のピントリングを操作している様子の説明図。
【図１１Ａ】図１１Ａは防水プロテクタの表示部の撮像画像（スルー画像）上に表示した操作用バーによる露出補正の説明図。
【図１１Ｂ】図１１Ｂは図１１Ａの状態から操作用バーに沿って操作して露出が変化した場合の表示例を示す図。
【図１２Ａ】図１２Ａは防水プロテクタの表示部の撮像画像上に操作用バーの他に、シャッタスピード及び絞りを変更する表示を行った場合の説明図。
【図１２Ｂ】図１２Ｂは図１２Ａにおいて操作用バーを操作して絞り値を表示した様子の表示例を示す図。
【図１３】図１３は本発の第２の実施形態のカメラ及び防水プロテクタ等の構成を示すブロック図。
【図１４】図１４はコントローラを接続して使用する様子を示す図。
【図１５Ａ】図１５Ａは図１４の表示部での表示例を示す図。
【図１５Ｂ】図１５Ｂは操作に対応して表示内容が変化する表示例を示す図。
【図１６Ａ】図１６Ａは衝撃から保護するプロテクタを用いた変形例のカメラの説明図。
【図１６Ｂ】図１６Ｂは図１６Ａのカメラを収納したプロテクタを拡大して示す図。
【発明を実施するための形態】
【００１２】
以下、図面を参照して本発明の実施形態を説明する。  
（第１の実施形態）
図１に示すようにカメラ装置１は、本発明の第１の実施形態のカメラ２と、このカメラ２を防水構造の収納体で収納することにより、水中の環境下で使用できるように保護する防水プロテクタ３０とからなる。
【００１３】
このカメラ２は、カメラ本体１０と、このカメラ本体１０の前面に設けたレンズマウント部に交換可能に取り付けられ、（後述するピント環等）可動する操作部２４を備えた撮影レンズ部２０とからなる。
【００１４】
カメラ本体１０の上面の中央には、ストロボ装置等を取付可能とする、例えばＵ字形状の凹部を備え、さらにこの凹部に隣接して後述する映像信号等も送信可能とする電気接点部１５ａ（図３参照）を備えた外部機器接続部としてのコネクタ受け部１５が設けてある。
【００１５】
また、このカメラ本体１０の上面におけるコネクタ受け部１５に隣接した右側には、撮影操作（レリーズ操作）を行うためのレリーズスイッチ７ａが設けてある。また、このカメラ本体１０の背面には、撮像した撮像画像（スルー画像）を表示する表示部５（図２，図３参照）が設けられている。
【００１６】
図２に示すように、カメラ本体１０は、撮像素子４により撮像された撮像信号（画像信号）に対する信号処理を行うと共に、カメラ２の各部の制御を行う信号処理＆制御部３を有する。
【００１７】
カメラ本体１０は、撮像面に結像された被写体の光学像を光電変換して撮像信号を出力する撮像素子４と、信号処理した映像信号（画像信号）の画像を表示する表示部５と、レリーズ操作が行われた場合には、表示部５に表示された画像を撮影画像として記録する記録部６とを有する。これら撮像素子４、表示部５、記録部６は、信号処理＆制御部３と接続されている。
【００１８】
また、カメラ本体１０は、レリーズスイッチ７ａを含む操作部７と、操作部７による操作により発生する操作信号の操作を判定する操作判定部８とを有し、操作判定部８は、信号処理＆制御部３と接続されている。信号処理＆制御部３は、操作判定部８による操作信号の判定結果に対応して、カメラ２の各部の動作を制御する。なお、後述するように信号処理＆制御部３は、防水プロテクタ３０側からの操作信号を（通信部１４を介して）受けた場合にも、その操作信号に対応してカメラ２の各部の動作を制御する。このため、信号処理＆制御部３内部に操作判定部８の機能を持つ構成にしても良い。
【００１９】
また、このカメラ本体１０は、時間を計測する時計部９と、加速度を検出する加速度検出部１１と、音声を収録する音声収録部１２とを備え、これら時計部９、加速度検出部１１、音声収録部１２は信号処理＆制御部３と接続されている。
【００２０】
また、この信号処理＆制御部３は、撮影レンズ部２０と通信を行う通信部１３と、上記コネクタ受け部１５の凹部の例えば下側に隣接して臨む電気接点部１５ａ（図３参照）が通信用端子となり、外部機器の通信部と通信を行う通信部１４とを備え、これら通信部１３、１４は信号処理＆制御部３と接続されている。
【００２１】
図４にて後述するように、この通信部１４は、外部機器の通信部と通信を行う通信ラインとしてＨＤＭＩ(登録商標)を用いた画像（映像）伝送用のラインとファイル受け渡し用のラインと、外部機器制御用の制御ライン等を備えている。
【００２２】
本実施形態においては、カメラ２はこの通信部１４を利用して防水プロテクタ３０と通信を行う。
【００２３】
図２に示すように撮影レンズ部２０は、撮影を行うために被写体像を撮像素子４に結ぶ（絞りを内蔵した）レンズ２１と、レンズ２１を光軸方向に駆動制御する（駆動部を備えた）制御部２２と、カメラ本体１０の通信部１３と通信を行う通信部２３と、を有する。
【００２４】
また、撮影レンズ部２０は、レンズ２１を光軸方向に移動してピント合わせを手動で調整するためのピント環などを備えた可動する操作部２４を有し、操作部２４の操作を受けて制御部２２はレンズ２１を光軸方向に駆動制御する。なお、操作部２４による操作量は図示しないセンサにより検出される。また、操作部２４による操作量は、通信部２３を介して信号処理＆制御部３が認識（把握）することができるようにしている。
【００２５】
また、撮影レンズ部２０のレンズ２１は、一般的に望遠側と広角側とで光軸方向にレンズ位置を同じ量だけ移動した場合のピント（フォーカス）に与える影響が異なる。そのため、各撮影レンズ部２０は、この撮影レンズ部２０に搭載されているレンズ２１のピント合わせの操作に影響を及ぼす情報を（レンズ位置の情報を含むレンズ情報発生部による）レンズ情報２５として保持している。
【００２６】
そして、操作部２４が操作された場合、制御部２２は、レンズ情報２５を参照して、望遠時と、広角時とにおける操作量に対するレンズ移動量を相対的に変えるように制御する。
【００２７】
具体的にはレンズ位置が望遠側でに設定時と広角側の設定時においてピント環を同じ操作量で回転した場合、望遠側の方が広角側の場合よりもピント変化に及ぼす影響が大きく、望遠側の設定時には、広角側の設定時に比較して、ピント環の操作量をより微細に調整しなければならない。
【００２８】
これを改善するため、制御部２２は、前者の操作の場合には、後者の操作の場合に比較してレンズ２１を移動する移動量を抑制する。撮影者がピント合わせの操作を行った場合、制御部２２が、望遠側の設定又は広角側の設定に応じてこのような制御を行うことによりピント合わせが行い易くなり、良好な操作性を実現できる。
【００２９】
後述するように本実施形態においては、防水プロテクタ３０側からピント合わせ（ピント調整）の操作を行った場合にも、信号処理＆制御部３は、通信部２３，１３を介して取得したレンズ情報２５を参照して、制御部２２を介してレンズ２１を駆動するように制御する。
【００３０】
撮影者（ユーザ）は、ピント環を回転操作して、撮像素子４に結像される被写体像のピントが合うようにピント調整（フォーカス調整）したり、絞り環を回転操作することにより絞り量（絞り値）を調整することもできる。なお、通信部２３は、例えば撮影レンズ部２０のＩＤ情報（ＩＤと略記）２６を保持し、信号処理＆制御部３はこのＩＤ２６から撮影レンズ部２０を識別することができる。
【００３１】
また、カメラ本体１０側から通信部１３、２３を介して通信を行い、レンズ２１のピント（フォーカス）、絞り、ズームなどを制御して、様々な構図、被写体に対応した撮影を可能にする。なお、撮影レンズ部２０は、その種類によって、ズーム機能を備えたものと、備えないものがある。
【００３２】
信号処理＆制御部３は、レンズ情報２５を通信部１３経由で取得し、カメラ本体１０に装着された撮影レンズ部２０に対応した駆動制御を行うことができる。
【００３３】
上記信号処理＆制御部３は、表示部５に、撮像素子４により撮像した動画の撮像画像（スルー画像）を表示する制御と、通信部１４経由で防水プロテクタ３０の表示部３４に防水プロテクタ３０側から操作するための操作用画像、スルー画像等を表示させる表示信号（映像信号）を送信する制御を行う表示制御部３ａの機能を有する。
【００３４】
また、この信号処理＆制御部３は、通信部１４と防水プロテクタ３０の通信部３６との通信制御を行う通信制御部３ｂの機能を有する。
【００３５】
また、この信号処理＆制御部３は、通信部１４と通信部３６との通信ラインを利用して、防水プロテクタ３０に設けたタッチパネル３３に対する操作からの操作信号を取得するように作動指定制御部３ｃの機能を有する。また、この信号処理＆制御部３は、取得した操作信号に対応して、カメラ２の撮影レンズ部２０を駆動する等の制御を行うカメラ制御部の機能を持つ。
【００３６】
図１で示すように防水プロテクタ３０は、このカメラ２を収納する防水構造のハンジング３１を有し、ハンジング３１内には、カメラ２の上面に設けたコネクタ受け部１５に嵌合する凸部を備えたコネクタ部３２が設けてある。
【００３７】
そして、防水プロテクタ３０に設けた図示しない蓋を開けてハウジング３１を開いた状態において、図１の点線で示す矢印のようにカメラ２をハンジング３１内に収納することにより、コネクタ受け部１５とコネクタ部３２とを嵌合させて接続状態にすることができる。
【００３８】
このコネクタ部３２にも、上記凸部に隣接して上記電気接点部１５ａと電気的に接続する電気接点部３２ａが設けてあり、コネクタ部３２とコネクタ受け部１５とを嵌合させて接続状態にすると、電気接点部３２ａと電気接点部１５ａとが電気的に接続した接続状態となる。接続状態になると、通信部３６と通信部１４は通信可能な状態となる。
【００３９】
また、この防水プロテクタ３０の背面には、図２、図３に示すタッチパネル３３が設けられている。図２ではタッチパネル３３は、防水プロテクタ３０に設けた画像等を表示する表示部３４とは別ブロックで示しているが、例えば表示部３４における表示面と殆ど同じサイズで設けられている。
【００４０】
このタッチパネル３３は、撮影者５１（図６参照）が手５２の指５３でタッチする操作を行うことにより、そのタッチ位置を検出するために、表示部３４の表示面上に、タッチセンサ（として機能する例えば光センサ）が２次元的に配置して構成されている。本実施形態においては図７Ａ、図７Ｂにて後述するように表示部３４（の表示素子）と一体的に構成される。
【００４１】
各タッチセンサは、撮影者５１の指５３によるタッチの操作位置を検出した検出信号を出力する。信号処理＆制御部３は、この検出信号を操作信号として通信部３６と通信部１４間の通信ラインを介して取得する。
【００４２】
この場合、信号処理＆制御部３は、図４に示すように作動指定制御部３ｃの機能により、防水プロテクタ３０の指定＆作動部３５を制御して、操作信号を取得する。
【００４３】
図４に示すように作動指定制御部３ｃは、通信部１４と（通信ラインで示す）通信部３６との通信ラインによる信号伝送（信号制御）用の信号を生成する。  
【００４４】
通信部１４により防水プロテクタ３０と通信する信号は、映像信号、制御信号、指定信号等からなり、それぞれ通信ライン３６ａ、３６ｂ、３６ｃを用いて信号が伝送される。
【００４５】
映像信号は、ＨＤＭＩ(登録商標) (High-Definition Multimedia Interface)規格で採用されているデジタル映像信号を伝送する例えばＴＭＤＳベースの差動伝送ラインを用いて通信ライン３６ａが形成される。
【００４６】
制御信号は、３線シリアル信号、IIＣバスライン等に対応した通信ライン３６ｂで形成され、映像通信用のＩＣや撮像、表示系のＩＣの設定を行う。
【００４７】
また、作動指定制御部３ｃは、通信ライン３６ｃを介して指定信号を送信し、（指定＆作動部３５の）指定部３５ａによる通信ライン３６ｂの切換動作を制御する。そして、この切換制御により、信号処理＆制御部３は、タッチパネル３３による操作信号を取得する。
【００４８】
図４に示す例では、IIＣバスラインの通信ライン３６ｂにより、スイッチＳＷ１が介挿された表示ドライバ３４ａを起動させ、また通信ライン３６ａにより映像信号表示信号として表示ドライバ３４ａに入力して、表示部３４に、映像信号（表示信号）の画像表示を行う。
【００４９】
また、この通信ライン３６ｂはスイッチＳＷ２を介挿してタッチパネル３３によるタッチ位置の検出信号を検出するタッチパネルドライバ３３ａと接続される。  
【００５０】
そして、指定部３５ａは、表示ドライバ３４ａを起動させる時にはスイッチＳＷ１をＯＮ，スイッチＳＷ２をＯＦＦにして、制御信号により表示ドライバ３４ａを起動させる。この起動後には、指定部３５ａは、図４に示すようにスイッチＳＷ１をＯＦＦ，スイッチＳＷ２をＯＮにする。この状態においてタッチパネル３３の検出信号は、操作信号として、通信ライン３６ｂ、通信部１４を経て信号処理＆制御部３に入力される。
【００５１】
本実施形態では、このように制御ライン３６ｂを、操作信号を取得する操作ラインとして使用するようにスイッチＳＷ１，ＳＷ２の切換制御をすることにより、通信ラインの本数を増やすことなく、少ない本数で信号処理＆制御部３が操作信号を取得することができるようにしている。
【００５２】
なお、タッチパネル３３の代わりに別の操作部材を接続してもよい。また、図２に示すように防水プロテクタ３０に、タッチパネル３３以外の操作手段としての操作部３７を設けるようにしても良い。
【００５３】
この場合にも、通信ライン３６ｂを利用して、操作部３７による操作信号を信号処理＆制御部３が取得することができる。なお、図４における点線で示す符号３５ｂは、図１の指定＆作動部３５における作動部を示す。
【００５４】
信号処理＆制御部３は、図５に示すようにカメラ２に防水プロテクタ３０が装着されたか否かに対応した通信制御を行う。
【００５５】
信号処理＆制御部３は、最初のステップＳ１において防水プロテクタ３０が装着されたか否かの判定を行う。例えば、信号処理＆制御部３は、通信部１４の特定の通信ラインの電圧レベル等、防水プロテクタ３０の表示ドライバ３４ａ、タッチパネルドライバ３３ａ等の接続により電圧レベル変化を検出すると、防水プロテクタ３０側に対して接続機器の種別を識別する情報、例えばＩＤ情報の送信要求の信号を送信する。
【００５６】
防水プロテクタ３０の例えば作動部３５ｂは、この信号を受け取ると、カメラ２にＩＤ情報を送信（返信）する。カメラ２は、信号の送受により通信部１４と３６との通信が可能なこと（接続状態）を認識すると共に、ＩＤ情報からコネクタ受け部１５に接続された接続機器が防水プロテクタ３０であることを認識する。
【００５７】
なお、コネクタ受け部１５に、コネクタ部３２が接続されて防水プロテクタ３０にカメラ２から防水プロテクタ３０に電源が供給される状態になった時、防水プロテクタ３０から、ＩＤ情報をカメラ２に送信するような設定にしても良い。
【００５８】
このように信号処理＆制御部３は、防水プロテクタ３０が装着された（通信可能な接続状態になった）判定の場合には、ステップＳ２に示すように防水プロテクタ３０の表示部３４で防水プロテクタ３０が装着された旨、又は通信可能な状態になった旨の表示を行うように表示信号を送信する。
【００５９】
次のステップＳ３において信号処理＆制御部３は、撮像素子４で撮像したスルー画像（撮像画像）を表示部３４で表示した後、さらに次のステップＳ４において防水プロテクタ３０（のタッチパネル３３）からの操作を受け付ける状態に設定する。なお、ステップＳ２の処理を行うことなく、ステップＳ３を行うようにしても良い。また、表示部３４側でスルー画像等を表示する場合には、信号処理＆制御部３は、カメラ本体１０の表示部５側での画像表示を行わないように制御する。防水プロテクタ３０による処理は、図８以降にて説明する。
【００６０】
一方、防水プロテクタ３０が装着されていない判定の場合には、ステップＳ５に示すように信号処理＆制御部３は、カメラ２からの操作を受け付ける状態にする。撮影者５１はカメラ２からの手動による操作としては、レリーズスイッチ７ａなどによる操作の他に、撮影レンズ部２０のピント環（又はフォーカ環）の回転操作によるピント（合わせの）調整、ズームレンズ機能を有する場合にはズーム操作、絞り調整、シャッタスピード変更等を行うことができる。ステップＳ４及びＳ５の処理の後、図５の処理は終了する。
【００６１】
カメラ２を防水プロテクタ３０内に収納した状態（換言すると、カメラ２に防水プロテクタを装着した状態）は、図３に示すようになり、撮影者５１は、防水プロテクタ３０の背面に設けられたタッチパネル３３を指５３で操作することができる。
【００６２】
本実施形態においては、良好な操作性を確保できるように、カメラ２の背面の表示部５よりも大きいサイズの表示部３４の表示面にタッチパネル３３を設けている。そして、撮影者５１は、表示部３４の表示内容を見ながら操作できるようにした。
【００６３】
また、図６は、水中での使用例を示している。撮影者５１は、防水プロテクタ３０を一方の手５２で把持し、他方の手５２の指５３でタッチパネル３３を操作する様子を示す。
【００６４】
上記のようにカメラの表示部３４よりも大きいサイズの表示部３４での表示により、撮影者５１は表示内容や操作する場合の操作位置を確認し易く、水中での操作がし易くなる。
【００６５】
図７Ａ，図７Ｂは、タッチパネル３３の構成例を示し、タッチパネル３３は光電センサタイプのものが採用され、表示部５内部に組み込まれている。  
【００６６】
図７Ａに示すように、表示部５としての液晶ディスプレイ５ａには、図示しない透明電極が２次元的に配列して、表示単位画素となる表示素子５５が２次元的に形成されると共に、各表示素子５５単位（又は複数の表示素子単位）で、光センサ５６が組み込まれている。なお、光センサ５６及び表示素子５５の背面側には、バックライト照明（背面照明）を行うバックライト部５７が、全表示素子をカバーするように設けられている。
【００６７】
そして、バックライト部５７から、上部側に矢印で示すように表示素子５５を通してバックライトが出射される。図７Ａに示すようにバックライトは、液晶ディスプレイ５ａ（タッチパネル３３）の表示面側に指５３が在ると、指５３によって反射される。
【００６８】
（図７Ａの状態から矢印で示すように指５３を移動して）図７Ｂに示すように（撮影者５１が）指５３によって液晶ディスプレイ５ａ（タッチパネル３３）の表示面をタッチすると、指５３での反射光はこの指５３近傍の光センサ５６により入射されることにより、光センサ５６の出力信号のレベルからその指５３のタッチ位置を検出することができる。
【００６９】
なお、図４に示したタッチパネルドライバ３３ａは、２次元的に配列された光センサ５６の出力信号を２次元的にスキャンし、スキャンにより選択した光センサ５６の出力信号のレベルが閾値を超えているか否かを比較器で比較する。閾値を超えたレベルの場合、タッチパネルドライバ３３ａは、その光センサ５６の位置がタッチされた位置として判定し、操作信号として信号処理＆制御部３側に出力する。この場合、２次元的なスキャンによりスキャン位置に対応した情報も信号処理＆制御部３側に出力する。
【００７０】
また、２次元的に配置された複数の光センサ５６の検出信号により、複数のタッチ位置、タッチ位置の時間的な変化を判定を行うことができる。つまり、タッチした位置の他に、タッチした位置が移動した場合、その移動量及び移動方向も検出することができる。
【００７１】
つまり、液晶ディスプレイ５ａ内に、光センサ５６を分散させる如くに配置した構成にすることにより、バックライト部５７の光が、どの位置の光センサ５６に入射したかを検出することで、タッチパネル３３へのタッチ位置を確実に検出することができる。この方式の表示部３４を採用することにより、水中内での水圧にも耐えてタッチ位置の検出が精度良くできる。
【００７２】
図８は本実施形態における主に信号処理＆制御部３によるカメラ制御の処理手順の１例を示す。  
【００７３】
カメラ２の図示しない電源スイッチがＯＮにされると、カメラ２の各部に電力が供給され、動作状態になる。信号処理＆制御部３は、最初のステップＳ１１において電源スイッチがＯＮからＯＦＦへの操作が行われたか否かの判定を行う。
【００７４】
電源スイッチがＯＦＦにされると、スタンバイ（休止した状態）の状態になる。なお、スタンバイでなく、シャットダウンした状態に設定しても良い。
【００７５】
電源スイッチがＯＦＦにされていない場合には、次のステップＳ１２において信号処理＆制御部３は、撮影者５１が撮影モードを選択しているか否かの判定を行う。撮影モードが選択されている場合には、次のステップＳ１３において信号処理＆制御部３は、通信部１３，２３を介して撮影レンズ部２０のレンズ情報２５を取得する。
【００７６】
つまり、信号処理＆制御部３は、レンズ情報２５を取得することにより、カメラ本体１０に装着されているレンズ２１に対応した光学情報（レンズ２１がズーム機能を有するか否かの情報、ピント環の単位の操作量に対応対するレンズ移動量における望遠側と広角側での焦点距離変化量（ピント変化量）の情報、現在のレンズ位置の情報等）を取得する。
そして、信号処理＆制御部３は、このレンズ情報２５を取得することにより、レンズ情報２５に対応してレンズ２１を適切に駆動制御することができる状態になる。
【００７７】
次のステップＳ１４において信号処理＆制御部３は、カメラ２に防水プロテクタ３０が装着されているか否かの判定を行う。
【００７８】
カメラ２に防水プロテクタ３０が装着されている判定の場合には、次のステップＳ１５において信号処理＆制御部３は、カメラ２の撮像素子４で撮像したスルー画像の映像信号を、通信部１４経由で防水プロテクタ３０に表示信号として送信する。
【００７９】
防水プロテクタ３０の表示ドライバ３４ａは、この映像信号を表示部３４に表示するように駆動し、表示部３４にスルー画像を表示する。
【００８０】
次のステップＳ１６において信号処理＆制御部３は、防水プロテクタ３０の（撮影者５１による）タッチパネル３３の操作判定と、操作判定に対応して表示内容、処理内容等を変更するパラメータ変更の制御処理を行う。
【００８１】
この制御処理に関しては、基本的には、信号処理＆制御部３は、タッチパネル３３のタッチ操作に基づく操作信号を取得し、取得した操作信号に対応して表示する操作用画像を変更したり、操作信号に対応してカメラ２を制御する。この処理に関しては、図９によって詳細に後述する。
【００８２】
また、信号処理＆制御部３は、入力される操作信号がカメラ２の特定の機能を駆動する指示操作でなく、特定の操作機能を選択する操作信号であると判定した場合には、対応する特定の操作機能を操作するための操作用画像（後述するズームリング、ピントリング、操作用バー等）として表示する表示信号を防水プロテクタ３０に送信する。
【００８３】
ステップＳ１６の処理の後のステップＳ１７において信号処理＆制御部３は、レリーズ操作が行われたか否かの判定を行う。レリーズ操作が行われた場合には、ステップＳ２２において信号処理＆制御部３は、スルー画像として表示している画像の静止画像を撮影（例えば図示しないメモリに一時的に記憶）する。
【００８４】
さらに信号処理＆制御部３は、その静止画像に対して例えば圧縮処理を行った後、撮影画像として記録部６に、撮影時間と共に記録する。ステップＳ２２の処理の後、ステップＳ１１に戻る。
【００８５】
一方、ステップＳ１４の判定処理において防水プロテクタ３０が装着されていない判定結果の場合には、ステップＳ１８において信号処理＆制御部３は、カメラ２の背面の表示部５にスルー画像を表示するように制御する。
【００８６】
次のステップＳ１９において信号処理＆制御部３は、撮影レンズ部２０の手動操作用の操作部２４によるレンズ操作が行われたか否かの判定を行う。レンズ操作が行われた場合には、ステップＳ２０において信号処理＆制御部３は、実際に搭載（装着）されているレンズ２１に対応したレンズ情報を反映した駆動制御を行うように制御する。
【００８７】
例えば、撮影者５１が、ピント合わせの手動操作（回転操作）を行った場合、信号処理＆制御部３は、１回転の操作量に対して望遠側では広角側よりもレンズ移動量を小さくするようにレンズ２１を光軸方向に動かすように制御する。この制御により、ピント合わせを円滑に行うことができる。
【００８８】
一方、ステップＳ１９においてレンズ操作が行われていない判定結果の場合には、ステップＳ２１において信号処理＆制御部３は、レンズ操作以外のカメラ本体１０の操作を反映した動作制御を行う。ステップＳ２０，Ｓ２１の後、ステップＳ１７の処理に移る。
【００８９】
また、ステップＳ１２の判定処理において、撮影モードでない判定結果の場合には、ステップＳ２３の処理に移り、このステップＳ２３において信号処理＆制御部３は、再生モードであるか否かの判定を行う。
【００９０】
撮影者５１により画像を再生する再生モードが選択された場合には、次のステップＳ２４において信号処理＆制御部３は、記録部６に記録された撮影画像における例えば最新の撮影画像を読み出し、表示部５でその撮影画像を再生（表示）する。
【００９１】
次のステップＳ２５において信号処理＆制御部３は、撮影者５１により再生した画像を変更する操作が行われたか否かの判定を行う。画像を変更する操作が行われた判定結果の場合には、次のステップＳ２６において信号処理＆制御部３は、再生する画像を変更した後、ステップＳ１１の処理に戻る。
【００９２】
また、ステップＳ２５において再生画像を変更する操作が行われなかった場合及びステップＳ２３において再生モードの操作が行われなかった場合にも、ステップＳ１１の処理に戻る。
【００９３】
また、図８におけるステップＳ１６のタッチパネル操作判定、パラメータ変更の処理は図９に示すような処理である。図９に示すような処理を行うことにより、図１０Ａ〜図１２Ｂに示すように、各種の操作を、タッチパネル３３から操作することができ、良好な操作性を実現する。
【００９４】
図９のタッチパネル操作判定・パラメータ変更処理がスタートすると、信号処理＆制御部３は撮影者５１によりタッチパネル３３をタッチしたタッチ位置からの操作信号に対する判定を行う。
【００９５】
例えば、最初のステップＳ３１において信号処理＆制御部３は、タッチパネル３３からの操作信号が表示部３４の表示画面（つまりタッチパネル３３の操作画面）の左右における一箇所にタッチしたものであるか否かの判定を行う。
【００９６】
左右の一箇所にタッチしたものでない判定結果の場合には、次のステップＳ３２において信号処理＆制御部３は、左右の二箇所を同時（殆ど同時の場合を含む）にタッチしたものであるか否かの判定を行う。左右の二箇所を同時にタッチしたものでない場合には、この図９の処理を終了して図８の次の処理（ステップＳ１７）に移る。
【００９７】
一方、左右の二箇所を同時にタッチした判定結果の場合にはステップＳ３３において信号処理＆制御部３は、ズームレンズ装着のカメラ２であるか否かの判定を行う。換言すると、撮影レンズ部２０がズームレンズ機能（ズーム機能）を備えたものであるか否かの判定を行う。信号処理＆制御部３は、取得したレンズ情報２５を参照してこの判定を行う。
【００９８】
ズームレンズ装着のカメラ２である場合には、ステップＳ３４に示すように信号処理＆制御部３は、タッチ位置付近にズーム操作とピント操作を行う２つの操作用リング、具体的にはズームリングとピントリングとを表示するように制御する。つまり、信号処理＆制御部３は、タッチ位置の操作信号に基づいて、タッチ位置付近に回転表示が可能な操作用リングを表示する映像信号を表示信号として防水プロテクタ３０に送信し、タッチパネル３３には２つの操作用リングとしてのズームリングとピントリングが回転可能に表示される。２つの操作用リングの表示例を図１０Ａ及び図１０Ｂに示す。
【００９９】
図１０Ａ、図１０Ｂでは、操作用リングとして外周側の操作用リングがズーム操作用のズームリング６１、内周側の操作用リングがピント調整用のピントリング６２として表示した例で示している。ズームリング６１、ピントリング６２は、操作部２４に設けられた手動操作用で円環形状のズーム環、ピント環を視覚的に模擬したものである。
【０１００】
なお、ズームレンズが装着されていないカメラ２の場合には、ステップＳ４０に示すように操作用リングとして１つの操作用リングとしてのピントリング６２のみを表示するように制御する。つまり、信号処理＆制御部３は、操作者５１が操作した場合、その操作位置の情報に応じて複数の操作用画像から対応する操作用画像を選択的に表示するように表示信号を防水プロテクタ３０に送信する。ズームリング６１や、ピントリング６２を表示する場合、以下のように表示しても良い。
【０１０１】
図１０Ａのように左手５２ａの指５３の水平方向の座標がＸ１からＸ２までのサイズで内周側のピントリング６２を、その外側にズームリング６１を表示する。なお、Ｘ１は画面の水平方向（Ｘ方向）の幅の１／６程度、Ｘ２は５／６程度とする。これによって、画面の半分が３分割できるので、中央部１／３を開けて、そこにスルー画像を表示して、スルー画像を確認できるようにしても良い。
【０１０２】
図１０Ａ、図１０Ｂでは、簡略化してスルー画像を示していないが、実際にはスルー画像も表示する。なお、図１０Ａ、図１０Ｂのように、スルー画像の表示を一時的に停止して、その一時的な時間に操作用リングを表示しても良い。
【０１０３】
ステップＳ３４においてズームリング６１とピントリング６２を表示した場合、次のステップＳ３５に示すように信号処理＆制御部３は、ズームリング６１にタッチしているか否かを（操作信号に基づいて）認識（又は判定）する。
【０１０４】
ズームリング６１にタッチしている場合には、ステップＳ３６において信号処理＆制御部３は、ズームリング６１が右周りに回転させる操作が行われたか、左周りに回転させる操作が行われたかの判定を行う。
【０１０５】
ステップＳ３７に示すように右回りに回転された場合には信号処理＆制御部３は、ズームＵＰの操作と判定し、左回りに回転された場合には、ステップＳ３８のようにズームＤＯＷＮの操作と判定する。そして、信号処理＆制御部３は、その操作に応じて、（タッチパネル３３に表示される操作用画像としての）ズームリング６１を回転する。
【０１０６】
ステップＳ３７又はステップＳ３８の処理の後、ステップＳ３９において信号処理＆制御部３は、ステップＳ３７又はステップＳ３８の処理に対応したカメラ制御としてズーム制御を行う。つまり、信号処理＆制御部３は、ズームＵＰ，ズームＤＯＷＮの操作に応じて撮影レンズ部２０のズームレンズの焦点距離を短くしたり、長くしたりして結像倍率を大きくしたり、小さくする制御を行う。
【０１０７】
一方、ステップＳ４０において内周側のピントリング６２が表示された状態において、ピントリング６２が回転操作された場合には、ステップＳ４１に示すように信号処理＆制御部３は、ピントリング６２の回転操作の際の回転方向と、回転操作のスピードに対応したピント合わせを、レンズ位置又は焦点距離状態（望遠側や広角側）に応じたピント合わせを行うようにレンズ位置調整（レンズ位置の移動量調整）を行うように制御する。
【０１０８】
具体的には信号処理＆制御部３は、撮影者５１がピントリング６２を回転させる操作を行った場合、望遠側の設定状態では広角側の場合よりもレンズ２１を移動させる移動量を小さくする（抑制する）ようにピント合わせの際のレンズ位置調整の制御を行う。
【０１０９】
このように制御することにより、ピント合わせの調整を、レンズ２１の焦点距離（レンズ位置）状態が異なる場合にも、円滑に行うことができる。ステップＳ３９及びＳ４０の処理の後、ステップＳの処理に移る。
【０１１０】
なお、操作用画像としての操作用リングによりズーム操作と、ピント調整を行う例で説明したが、（操作用リングを）絞りやシャッタスピードを変更（切換）の場合に適用しても良い。また、図１０Ａ，図１０Ｂでは長円形リングの表示例で示しているが、円形リングにしても良い。
【０１１１】
一方、ステップＳ３１において左右の一箇所の操作である判定結果の場合には、ステップＳ４２において信号処理＆制御部３は、タッチ位置が左であるか（右であるか）の判定を行う。
【０１１２】
タッチ位置が左でない（つまり右の）判定結果の場合には、ステップＳ４３において信号処理＆制御部３は、右のタッチ位置に操作用バーを表示するように制御する。この操作用バーは、例えば露出を補正するためのものであり、撮影者が操作用バーの方向に指を移動することにより、信号処理＆制御部３は、移動方向に応じて露出を制御する。
【０１１３】
この場合のタッチパネル３３の表示例を図１１Ａに示す。図１１Ａに示す例では、例えば背景部分（水中側）に露出が合って、撮影者５１が露出を合わせかった部分（ここでは人物）に、露出が合わない例えば暗い状態となっている。
【０１１４】
この状態において、撮影者は、タッチパネル３３上の例えば右側部分に指５３を置けば、矢印のような操作用バー６５が操作用画像として表示される。撮影者５１は、この操作用バー６５を、図１１Ｂに示すように矢印を上方向にこする（換言すると、矢印に沿って上方向に指５３を移動する）。
【０１１５】
図９に示すようにステップＳ４３の次のステップＳ４４において信号処理＆制御部３は、タッチ位置の変更を監視する。そして、タッチ位置が操作用バー６５の方向に変更された場合には、ステップＳ４５に示すように信号処理＆制御部３は、その変更操作に応じて変更設定する制御を行う。
【０１１６】
つまり、信号処理＆制御部３は、タッチ位置が操作用バー６５の方向に沿って、上方向の場合には露出を増大、下方向の場合には減少させるように、露出量を変更設定する制御を行う。
【０１１７】
この制御を行うと共に、ステップＳ４６に示すように信号処理＆制御部３は、変更設定した状態でタッチパネル３３で画像を表示を行うように制御する。
【０１１８】
ステップＳ４６の後、及びステップＳ４４おいてタッチ位置の変更がない判定結果の場合には、ステップＳ４７の処理に移る。
【０１１９】
ステップＳ４７において信号処理＆制御部３は、タッチパネル３３からの操作信号によりタッチパネル３３が所定時間、タッチ無しか否かの判定を行う。所定時間以内にタッチが無い場合には、ステップＳ４８において信号処理＆制御部３は、それ以前の操作の設定内容に決定する。そして、図９の処理を終了（リターン）する。
【０１２０】
一方、所定時間以内にタッチがある場合には、ステップＳ４４の処理に戻り、同様の処理を続行する。
【０１２１】
このようにして、撮影者５１は、適正な露出状態となるように露出を簡単な操作で調整することができる。
【０１２２】
なお、露出が適正な露出量よりも大きすぎるような場合にも、同様に簡単な操作で調整できる。
【０１２３】
一方、ステップＳ４２においてタッチ位置が左の判定結果の場合には、ステップＳ４９において信号処理＆制御部３は、左のタッチ位置に操作用項目（パラメータ）を（操作用画像として）表示する。この場合の操作用項目は、例えばシャッタスピードと、絞りを変更するためのものであり、図１２Ａにおいてはシャッタスピードの操作項目をＳＳ６７、絞りの操作項目をＳＴ６８で示している。
【０１２４】
図１２Ａの表示例において、撮影者５１は例えば絞りの設定値を変更したい場合には、左手５２ａの指５３で絞りの操作用項目にタッチし、もう片方の右手５２ｂの指５３でタッチパネル３３の左部分をタッチする。図９に示すようにステップＳ４９の次のステップＳ５０において信号処理＆制御部３は、右のタッチ位置に操作用バーを表示するように制御する。
【０１２５】
そして、図１２Ａに示すようにタッチパネル３３には右のタッチ位置に操作用バー６９が表示される。撮影者５１は、図１１Ａ，図１１Ｂで説明した場合と同様に操作用バー６９に沿って、タッチした指５３を上方向又は下方向に移動する。
【０１２６】
図９のステップＳ５１に示すように信号処理＆制御部３は、タッチ位置の変更を監視する。そして、タッチ位置が操作用バー６９の方向に変更された場合には、ステップＳ５２に示すように信号処理＆制御部３は、その変更操作に応じて、操作用項目と上方向又は下方向への（指５３の）シフト量に応じて現在の絞りの設定値から変更設定する制御を行う。
【０１２７】
また、ステップＳ５３において信号処理＆制御部３は、ステップＳ５２により変更設定した内容をタッチパネル３３で表示するように制御する。また、ステップＳ５４において信号処理＆制御部３は、ステップＳ４７の場合と同様にタッチパネル３３からの操作信号によりタッチパネル３３が所定時間、タッチ無しか否かの判定を行う。
【０１２８】
所定時間以内にタッチが無い場合には、ステップＳ４８に移り、このステップＳ４８において信号処理＆制御部３は、それ以前の操作の設定内容に決定する。そして、図９の処理を終了（リターン）する。一方、所定時間以内にタッチがあった場合には、ステップＳ５１の処理に戻り、同様の処理を続行する。
【０１２９】
図１２Ｂは、このようにして変更設定された絞り値７０が表示された様子を示している。絞り値７０を変更して、被写界深度を調整したり、背景をぼかしたりして撮影に変化を付けることが可能になる。
【０１３０】
このような動作を行う本実施形態によれば、カメラ２に防水プロテクタ３０を装着した場合、防水プロテクタ３０の表示部３４に、カメラ２自体が有する各種の操作機能に対応した操作用画像を表示させる表示信号を送信することができるようにしている。
【０１３１】
従って、本実施形態によれば、撮影者５１は、表示部３４に表示される操作用画像を見ながらカメラ２自体が有する各種の操作機能を操作することができ、良好な操作性を確保できる。
【０１３２】
また、本実施形態によれば、表示信号により表示される操作用画像を変更することにより、カメラ２が有するピント調整、絞り調整、シャッタスピード、ズーム調整等にそれぞれ適切に対応することができる。
【０１３３】
また、本実施形態によれば、カメラ２がズーム機能を備えている場合にはズーム調整を行う操作用画像を表示し、ズーム機能を備えていない場合には、ズーム調整を行う操作用画像を表示しないようにすることも容易にできる。
【０１３４】
従って、撮影者５１は、防水プロテクタ３０を装着した場合にも、カメラ２が有する機能を反映した操作用画像により操作することができる。つまり、カメラ２の撮影レンズ部２０の機能が異なる場合にも柔軟に対応できる。
【０１３５】
また、本実施形態によれば、操作用画像として、カメラ２による手動操作に対応して、その手動操作を視覚的に模擬する画像を表示するようにしているので、撮影者５１はカメラ２の手動操作に近い操作方法で防水プロテクタ３０から操作することができ、良好な操作性を実現できる。
【０１３６】
また、本実施形態においては、撮影者５１が操作部２４から又はタッチパネル３３からピント調整操作を行った場合、レンズ位置が望遠側又は広角側にあるかに応じて、実際にレンズ２１を移動する移動量を可変制御する、より具体的には前者の場合には後者の場合よりも移動量を抑制するように制御するようにしているので、ピント合わせを円滑に行うことができる。
【０１３７】
（第２の実施形態）
次に本発明の第２の実施形態を説明する。図１３は本発明の第２の実施形態のカメラ２Ｂを備えたカメラ装置１Ｂの構成を示す。本実施形態は、第１の実施形態と同様の操作を行う場合と、防水プロテクタ３０に接続されたコントローラ７１による操作とを選択して使用できるようにしている。
【０１３８】
このカメラ装置１Ｂは、図２のカメラ装置１において、防水プロテクタ３０には、防水プロテクタ３０の上面に表示部３４Ｂを設けると共に、さらに外部制御機器としてのコントローラ７１と通信を行う通信部７２が設けてある。
【０１３９】
例えば、指定＆作動部３５は、この通信部７２を介してこの通信部７２の端部の（図１４に示す）コネクタ受け７３に着脱自在に接続されるコントローラ７１と通信を行い、コントローラ７１の接続を認識する。
【０１４０】
防水プロテクタ３０の指定＆作動部３５は、コントローラ７１の接続を認識すると、通信部３６を介してコントローラ７１の接続情報をカメラ２の信号処理＆制御部３に送信する。
【０１４１】
また、図１４に示すように防水プロテクタ３０の上面に設けた表示部３４Ｂは、図１５Ａに示すように防水プロテクタ３０の上面形状に沿って横長の表示エリアが形成される。
【０１４２】
また、本実施形態における信号処理＆制御部３は、防水プロテクタ３０にコントローラ７１が接続された場合には、指定＆作動部３５の動作を制御し、タッチパネル３３からの操作を受け付ける代わりに、コントローラ７１からの操作を受け付けるように切り換えることができる。
【０１４３】
つまり、撮影者５１は、第１の実施形態と同様の使用方法で撮影する選択ができると共に、コントローラ７１を接続した場合には、このコントローラ７１を用いた各種の操作を行う選択ができる。 
【０１４４】
コントローラ７１からの操作を受け付ける選択がされた場合には、信号処理＆制御部３は、図１５Ａに示すように表示部３４Ｂにおける例えば右側の表示エリアをスルー画像表示部（撮像画像表示部）８１ａとしてスルー画像を表示するように制御し、左側の操作表示エリアを操作表示部８１ｂとしてコントローラ７１による操作を行い易くするガイド画像を表示するように制御する。
【０１４５】
コントローラ７１は、図１４，図１５Ａ等に示すように例えば直方体形状の外形で、その上面にスティック状の操作部７４が設けられている。このコントローラ７１から延出されたケーブル７５の端部のコネクタを、防水プロテクタ３０のコネクタ受け７３に着脱自在に接続することができる。
【０１４６】
また、コントローラ７１内には、操作部７４の傾動方向、操作部７４のスティック（軸）方向の押圧操作を検出すると共に、コントローラ７１のシェイク（強く振られた場合の加速度）を検出する加速度センサを備えた検出部７６等が設けられている。
【０１４７】
そして、例えば図１５Ａに示すように操作部７４をスティク方向に押圧することによる撮影操作、操作部７４のスティックを水平の横方向に傾動させることによるピント操作、ピント操作と直交する奥行き方向に傾動させることによるズーム操作、コントローラ７１をシェイクすることによるリセット操作等における各操作を検出部７６により検出することができるようにしている。
【０１４８】
図１４は、カメラ２を収納した防水プロテクタ３０にコントローラ７１を接続した状態で、撮影者５１が水中でコントローラ７１により撮影のための操作をしている様子を示す。
【０１４９】
この場合の表示部３４の表示内容は、図１５Ａのようになる。また、図１５Ａにおいて、撮影者５１は、ガイド画像を見ながら操作部７４のスティック部分を押圧して撮影操作を行うと、図１５Ｂに示すようにガイド画像における撮影（又は撮影に対応する矢印）の表示が例えば点滅し、撮影者５１は、撮影操作が行われたことを認識することができる。なお、図１５Ｂにおける左側のガイド画像では撮影の文字が消滅した状態を示し、右側は撮影の文字が表示された状態を示している。
【０１５０】
本実施形態によれば、第１の実施形態の効果を有すると共に、さらにコントローラ７１を接続してコントローラ７１から撮影操作を行うことができる。このため、撮影者５１が操作する場合の選択肢が広がり、使用環境に応じてより使い易い方を選択使用できるようになるので、操作性が向上する。
【０１５１】
また、コントローラ７１を使用する場合、撮影者５１は、操作表示部８１ｂのガイド画像を見ることにより、操作したい操作方法を確認したり、操作した場合の結果をガイド画像から確認ができる。従って、本実施形態によれば、撮影者５１に対して良好な操作性を提供できる。
【０１５２】
なお、上述した実施形態を変形した構成にしても良い。例えば、カメラ２は、カメラ本体１０に撮影レンズ部２０が交換可能に取り付けられる構成に限定されるものでなく、両者が一体化された構成でも良い。
【０１５３】
また、第２の実施形態において、例えば表示部３４を設けないで、表示部３４Ｂのみを設けた構成にしても良い。この場合には、表示部３４Ｂにおける例えば操作表示部８１ｂ部分にタッチパネル３３を形成し、タッチパネル３３での操作とコントローラ７１による操作を選択できるようにしても良い。
【０１５４】
以上の例では水中の環境で使用するための防水構造の防水プロテクタ３０の場合での説明をしたが、カメラ２を保護する環境としては、水中の場合に限らず、例えば図１６に示すように自転車９１に取り付けた変形例のカメラ２Ｃの場合にも適用できる。
【０１５５】
自転車９１に取り付けたカメラ２Ｃ等では、衝撃に強いプロテクタが求められる。図１６Ａに示すように変形例においては、カメラ２Ｃを収納し（又は覆い）衝撃から保護する、プロテクタ３０Ｃとして球体形状を採用している。
【０１５６】
球体形状にしているので、このプロテクタ３０Ｃは、外部から受けた力を均等に分散し、内部に収納して保護対象のカメラ２Ｃに及ぼす衝撃を十分に小さくして保護する機能を確保している。
【０１５７】
このプロテクタ３０Ｃは、図１６Ａに示すように、表示部３４Ｃを少し上に向けた形で内蔵している。従って、自転車９１に乗った撮影者５１は、自然な姿勢で、表示部３４Ｃの画像の確認（認識）がし易い。図１６Ｂは撮影者５１側から見たプロテクタ３０Ｃを拡大して示す。なお、表示部３４Ｃはケーブルの端部のコネクタがコネクタ受け部１５に接続される。
【０１５８】
また、本変形例においてはプロテクタ３０Ｃを装着して撮影操作を行う場合、通常のレリーズ操作でなく、センサによる検出信号に基づいて以下のように行う。
【０１５９】
このプロテクタ３０Ｃ又はカメラ２Ｃは、所定の方向からの振動を検出するセンサを内蔵し、その所定の方向から規則的に叩かれた場合のみ、カメラ２Ｃの信号処理＆制御部は撮影の制御動作を行うようにしている。例えば、撮影者５１が図１６Ａの矢印で示す方向からプロテクタ３０Ｃを２回叩く操作を行うと、内蔵されたセンサがその操作を検知して、カメラ２Ｃ内部の信号処理＆制御部は撮影の制御動作を行う。なお、センサとしては、例えば図１３の加速度検出部１１を利用しても良い。
【０１６０】
なお、レリーズ操作以外の操作を行う場合には、例えばプロテクタ３０Ｃにコントローラ７１を接続して使用できるようにしても良い。
【０１６１】
また、上述した実施形態等の構成を部分的に組み合わせた構成にしても良い。
【符号の説明】
【０１６２】
１、１Ｂ…カメラ装置、２、２Ｂ、２Ｃ…カメラ、３…信号処理＆制御部、３ａ…表示制御部、３ｂ…通信制御部、３ｃ…作動指定制御部、４…撮像素子、５，３４…表示部、１０…カメラ本体、１３，１４，２３，３６…通信部、１５…コネクタ受け部、１５ａ…通信端子部、２０…撮像レンズ部、２１…レンズ、２２…制御部、２４…操作部、２５…レンズ情報、３０…防水プロテクタ、３３…タッチパネル、３５…指定＆作動部、７１…コントローラ、７４…操作部、８１ａ…スルー画像表示部、８１ｂ…操作表示部
【図１】
0006042918.tif 000002
【図２】
0006042918.tif 000003
【図３】
0006042918.tif 000004
【図４】
0006042918.tif 000005
【図５】
0006042918.tif 000006
【図６】
0006042918.tif 000007
【図７Ａ】
0006042918.tif 000008
【図７Ｂ】
0006042918.tif 000009
【図８】
0006042918.tif 000010
【図９】
0006042918.tif 000011
【図１０Ａ】
0006042918.tif 000012
【図１０Ｂ】
0006042918.tif 000013
【図１１Ａ】
0006042918.tif 000014
【図１１Ｂ】
0006042918.tif 000015
【図１２Ａ】
0006042918.tif 000016
【図１２Ｂ】
0006042918.tif 000017
【図１３】
0006042918.tif 000018
【図１４】
0006042918.tif 000019
【図１５Ａ】
0006042918.tif 000020
【図１５Ｂ】
0006042918.tif 000021
【図１６Ａ】
0006042918.tif 000022
【図１６Ｂ】
0006042918.tif 000023